(57)【要約】【課題】二連式容器の上部外面に操作筒を装着させ、該操作筒の第１回動位置で両容器体上部へ嵌合させた筒ヘッド部材頂壁の両注出孔が共に閉塞され、第２回動位置では一方頂壁注出孔が開き、第３回動位置では他方頂壁の注出孔が開くようにして、両容器体内液体の同時注出は不能とした。【解決手段】注出筒１１，１１　内から棒状栓１８，１８　を起立する注出筒付き容器体１，１を併立させ、それ等両注出筒外面へ、上方付勢させて上下動可能にヘッド部材２１，２１　を嵌合させて、ヘッド部材下降時にヘッド部材頂壁の注出孔２４，２４　を棒状栓１８，１８　が密閉可能とし、両ヘッド部材外面へ上下動不能かつ回動可能に嵌合させた操作筒４１内面と両ヘッド部材外面とに、ヘッド部材上下動機構を設けて、上記第１回動位置では両ヘッド部材が下降し、第２回動位置では一方ヘッド部材２１だけが上昇し、第３回動位置では他方ヘッド部材だけ上昇可能とした。【選択図】　図３
2004123132.tif 000002
【特許請求の範囲】
【請求項１】
注出筒１１を起立し、又該注出筒内から棒状栓１８を注出筒よりも高く起立する、左右一対として併立された注出筒付きの容器体１，１と、
上記両注出筒の各外面へ、上方付勢されて上下動可能に嵌合され、下降時にあっては頂壁２２に穿設された注出孔２４，２４　を棒状栓上端が密閉し、上昇時にあっては開孔可能としたヘッド部材２１，２１　と、
上記両ヘッド部材の外面へ嵌合させた筒部から脚板４３を垂下し、該脚板を上記注出筒１１下部から外方突出させた半筒状壁１４内へ、上下動不能かつ所定範囲回動可能に挿入させた操作筒４１とを有し、
上記両ヘッド部材２１，２１　の外面と、操作筒４１の左右内面とのいずれか一方に、傾斜面２６の上下両端から高、低水平面２７，２８　を突出する摺動面付き係合板２９，２９　を、他方には上記摺動面へ圧接する足４４，４４　を付設して、操作筒４１の回動により摺動面に沿い足４４が摺動することで各ヘッド部材２１，２１　が上下動可能となし、
操作筒４１が第１回動位置にある状態では、両足４４が高低いずれか一方の水平面に接して両ヘッド部材は共に下降位置に、第２回動位置にある状態では一方足は高水平面に、かつ他方の足は底水平面に接して一方ヘッド部材が上昇し、第３回位置にあっては一方足４４は低水平面に、かつ他方足は高水平面に接して一方ヘッド部材は下降し、かつ他方ヘッド部材２１は上昇可能に形成した
ことを特徴とする、二連式液体注出容器。
【請求項２】
上記注出筒１１，１１　の下部外面から外方張出し板を介して半筒状壁１４，１４　を、上方からみて眞円筒状に突合せて垂下すると共に、外方張出し板に穿設した円弧状孔１５，１５　内へ挿通させて、操作筒の左右から垂下させた脚板４３，４３　下端の嵌合子４２，４２　を半筒状壁１４，１４　に穿設した横長孔１６，１６　内へ嵌合させ、
両嵌合子４２，４２　が、両横長孔１６，１６　の中間部に位置する状態を操作筒４１の第１回動位置に、両横長孔１６，１６　の一端に位置する状態を第２回動位置に、両横長孔他端に位置する状態を第３回動位置に、それぞれ定めた
ことを特徴とする請求項１記載の二連式液体注出容器。
【請求項３】
ケース筒５１上部へ、保持筒５２の下方筒部を螺合させて形成した収納筒５３を設けて、該収納筒内へ、上記容器体１，１と操作筒４１下部とを、操作筒上部は露出させて、該露出部分操作により操作筒４１の回動が可能に収納させ、又操作筒４１外面と保持筒５２内面との間に操作筒抜出し防止手段を設けた
ことを特徴とする、請求項１又は２記載の二連式液体注出容器。
【発明の詳細な説明】
【０００１】
【発明の属する技術分野】
本発明は、二連式の液体注出容器に関する。
【０００２】
【従来の技術】
異る種類の二液を左右一対の容器体内へ別々に収納させておき、それ等両液体を同時に注出させることで混合液として使用することが行われている。
【０００３】
【発明が解決しようとする課題】
上記従来の容器は、各容器体内に収納された異る種類の液体を同時注出により混合させて使用するが、例えばシャンプーとリンスとのように、時間差をおいて二液を順次使用する場合にも二連式容器を使用すると便利である。しかしこのように時間差をおいて二液を順次使用する容器にあっては、二液を同時に使用することが出来ない構造としてあることが必要となる。
【０００４】
本発明はそのような必要に基づいて形成したものである。
【０００５】
【課題を解決するための手段】
第１の手段として、注出筒１１を起立し、又該注出筒内から棒状栓１８を注出筒よりも高く起立する、左右一対として併立された注出筒付きの容器体１，１と、
上記両注出筒の各外面へ、上方付勢されて上下動可能に嵌合され、下降時にあっては頂壁２２に穿設された注出孔２４，２４　を棒状栓上端が密閉し、上昇時にあっては開孔可能としたヘッド部材２１，２１　と、
上記両ヘッド部材の外面へ嵌合させた筒部から脚板４３を垂下し、該脚板を上記注出筒１１下部から外方突出させた半筒状壁１４内へ、上下動不能かつ所定範囲回動可能に挿入させた操作筒４１とを有し、
上記両ヘッド部材２１，２１　の外面と、操作筒４１の左右内面とのいずれか一方に、傾斜面２６の上下両端から高、低水平面２７，２８　を突出する摺動面付き係合板２９，２９　を、他方には上記摺動面へ圧接する足４４，４４　を付設して、操作筒４１の回動により摺動面に沿い足４４が摺動することで各ヘッド部材２１，２１　が上下動可能となし、
操作筒４１が第１回動位置にある状態では、両足４４が高低いずれか一方の水平面に接して両ヘッド部材は共に下降位置に、第２回動位置にある状態では一方足は高水平面に、かつ他方の足は底水平面に接して一方ヘッド部材が上昇し、第３回位置にあっては一方足４４は低水平面に、かつ他方足は高水平面に接して一方ヘッド部材は下降し、かつ他方ヘッド部材２１は上昇可能に形成した。
【０００６】
第２の手段として、上記第１の手段を有すると共に、上記注出筒１１，１１　の下部外面から外方張出し板を介して半筒状壁１４，１４　を、上方からみて眞円筒状に突合せて垂下すると共に、外方張出し板に穿設した円弧状孔１５，１５　内へ挿通させて、操作筒の左右から垂下させた脚板４３，４３　下端の嵌合子４２，４２　を半筒状壁１４，１４　に穿設した横長孔１６，１６　内へ嵌合させ、
両嵌合子４２，４２　が、両横長孔１６，１６　の中間部に位置する状態を操作筒４１の第１回動位置に、両横長孔１６，１６　の一端に位置する状態を第２回動位置に、両横長孔他端に位置する状態を第３回動位置に、それぞれ定めた。
【０００７】
第３の手段として、上記第１又は第２の手段を有すると共に、ケース筒５１上部へ、保持筒５２の下方筒部を螺合させて形成した収納筒５３を設けて、該収納筒内へ、上記容器体１，１と操作筒４１下部とを、操作筒上部は露出させて、該露出部分操作により操作筒４１の回動が可能に収納させ、又操作筒４１外面と保持筒５２内面との間に操作筒抜出し防止手段を設けた。
【０００８】
【発明の実施の形態】
以下図面について説明する。１，１は、左右一対をなす容器体で、図示例では横断面半筒状に垂直壁と弯曲壁とを連続させて形成した胴部２上端から肩部３を介して口頸部４を起立する。これ等両容器体はほぼ同一形状かつ同一大きさに形成し、両垂直壁を重合せ、両面テープ５で接合させて併立させている。
【０００９】
尚一方容器体の弯曲壁下部には縦溝６を縦設している。これ等両容器体は弾性圧搾可能としてもよい。
【００１０】
上記容器体口頸部には、下方筒部１２を嵌合させて注出筒１１，１１　を起立させている。該注出筒１１は、主筒１３の下部外面から外向きフランジを介して垂下させた外筒を口頸部４外面へ嵌合させ、又主筒下端部が形成する内筒を口頸部内面へ水密に嵌合させている。又既述垂直壁上方側を除く外向きフランジ部分からは外方張出し板を介して半筒状壁１４を垂下し、これ等両半筒状壁を上方からみて眞円筒状に突合せて垂下している。又それ等両外方張出し板には円弧状透孔１５を穿設し、かつ半筒状壁１４，１４　には横長孔１６を穿設している。尚これ等両孔については後述する。注出筒１１の中間部内面の上方寄り部分からは支持板１７を介して棒状栓１８を注出筒１１よりも高く起立させ、又注出筒中間のやや下方寄り部分外面へは外向きフランジ１９を周設している。
【００１１】
上記注出筒１１，１１　外面へは、ヘッド部材２１，２１　を上下動自在に、かつ上方付勢させて嵌合している。該注出筒も、上方からみて図６が示すように半円筒状に垂直壁部と弯曲壁部とで形成し、頂壁２２外周から垂下する周壁２３を、既述注出筒１１，１１　外面へ嵌合させ、又頂壁に注出孔２４，２４　を穿設し、図１が示すようにヘッド部材２１上昇状態ではその注出孔２４が開孔され、図２が示すように下降状態では、棒状栓１８，１８　上端が注出孔２４，２４　を密閉可能に設けている。尚頂壁２２からは内筒２５を垂下させて注出筒１１の上部内面へ嵌合させている。両ヘッド部材２１，２１　は両垂直壁を突き合せ、両上端を同一高さに位置合せした状態で、両ヘッド部材上部外形がほぼ円錐状ないし帽状となるようにしている。又両弯曲壁部の下部外面へは図５のように前後方向中間部を傾斜面２６とし、該傾斜面の上下両端から高水平面２７と低水平面２８とを前後へ突出する案内面付き係合板２９，２９　を突出させている。尚周壁１３下部は大内径とし、該大内径部の上面と既述注出筒の外向きフランジ１９との間に、ヘッド部材上方付勢のためのコイルスプリング３０を装着させている。
【００１２】
上記ヘッド部材２１，２１　の外面へは、操作筒４１を回動可能に嵌合させる。該操作筒は、周壁下半にほぼ等間隔に割溝４７を有し、又図１が示すように左右両部下面のややずれた位置から、下端外面に嵌合子４２，４２　を有する脚板４３，４３　を垂下し、その両係合板を既述円弧状孔１５，１５　に挿通させ、かつ嵌合子４２，４２　を横長孔１６，１６　内へ嵌合させ、既述容器体およびヘッド部材２１，２１　に対して、一定の範囲で回動可能に、かつ上方への抜出しが不能に嵌合させている。又図３および図７Ａが示すように、両ヘッド部材が共に下降位置にある状態で、係合板２９，２９　の両高水面２７，２７　に下面を接する足４４，４４　を操作筒内面に付設している。尚この点については後述する。
【００１３】
図２、図３が示すように、既述容器体１，１および操作筒４１の下部外面へは、有底ケース筒５１上部へ保持筒５２を螺合させて形成した収納筒５３を嵌合させている。ケース筒５１はその下部内面の一部に係合リブ５４を縦設して容器体胴部の下部外面へ縦設した縦溝６内へ嵌合させており、保持筒５２の内面には係合突部５５を周設させて該係合突部下面を操作筒４１の下部外面に周設した係合突条４５上面へ係合させ、又係合突部５５上端を操作筒中間部外面へ周設した上方係合突条４６下面へ係合させている。有底ケース筒５１と容器体１，１とを共に弾性圧搾可能とすることで、該弾性圧搾により開口させた注出孔から注出させることが出来る。
【００１４】
上記保持筒５２上端よりも上方へ突出させた、操作筒４１上部および両ヘッド部材の上部外面へは、キャップ６１を嵌合させている。該キャップは上部小径の帽状をなし、操作筒４１上部の左右に横設した突部４８，４８　へキャップ周壁内面へ穿設した凹部６２，６２　を嵌合させ、着脱自在に設けている。
【００１５】
上記構成において、図２が示す状態からキャップ６１を外す。該状態で操作筒４１の足４４，４４　は両ヘッド部材の高水平面２７，２７　へ、図７Ａが示すように接しており、よって各ヘッド部材は下降位置にあって、注出孔２４，２４　は棒状栓１８，１８　上端で密閉されている。またこのとき脚板４３，４３　下端の嵌合子４２，４２　は、横長孔１６，１６　の横方向中間部に位置する。
【００１６】
次いで操作筒４１を正方向へ回すと、図７Ｂが示すうように、一方の足４４は高水平面上方をそのまま移動するが、他方係合板の足４４は、係合板２９上面へ圧接させたまま摺動することで低水平面２８上へ移動し、ヘッド部材２１は上方付勢されているため図１のように上昇して注出孔２４が開口する。このとき嵌合子４２，４２　は横長孔１６，１６　の各一端に位置する。
【００１７】
次に図７Ｂの状態から操作筒４１を逆方向へ回すと、上記低水平面２８上に位置していた脚４４は傾斜面２６に沿い係合板を押下げ乍ら高水平面２７上へ移動し、又他方の脚４４は、高水平面２７上から低水平面２８上へ移動し、よって図７Ｂの状態で上昇していたヘッド部材は押下げられて注出孔を閉じ、又下降していたヘッド部材は上昇して注出孔を開孔する。このとき嵌合子４２，４２　は両横長孔１６，１６　の各他端に位置する。
【００１８】
上記両ヘッド部材２１，２１　の上下動は上記実施形態とは逆に、つまり図８のように両ヘッド部材に足４４，４４　を、又操作筒４１内面に、傾斜面および高低の水平面付き係合板２９，２９　を、それぞれ付設しても同様に注出孔２４，２４　の開閉を行うことが出来る。但しこの場合は、係合板下面が摺動面を形成することとなり、係合板が正逆両方向へ移動し、足４４は低水平面２８に接して押下げられたとき、該足を有するヘッド部材が下降して注出孔を閉じ、上昇して高水平面２７に接する状態でヘッド部材が上昇して流出孔２４を開くこととなる。
【００１９】
尚液体注出は、図３が示すように一方のヘッド部材だけ上昇する状態で、容器を倒立させて行うことが出来、不使用時は両ヘッド部材を共に下降させて各注出孔を閉塞させておく。
【００２０】
容器体内液体が無くなったときは、ケース筒５１を保持筒５２から外して容器体１を注出筒から外して液体補充したり、又液体入りの容器体と交換させてもよい。
【００２１】
【発明の効果】
本発明は既述構成とするもので、請求項１記載のようにすることで二連式に形成された液体注出容器の双方の注出孔を同時に閉塞させたり、その一方注出容器の、又は他方注出容器の注出孔だけを開孔させることを自由に行うことが出来ると共に、その操作も操作筒４１上部を正逆いずれかの方向へ回すだけで行えるから極めて便利であり、又両ヘッド部材が有する両注出孔を同時に開孔させることは不可能であるため、液体混合用の二連式液体注出容器の場合のように二液を同時注出するおそれは全くない。
【００２２】
請求項２記載のようにすることで、操作筒４１の回動を正確かつ容易に行うことが出来、請求項３のようにすることで、二箇の容器体１，１を一箇の収納筒５３内へ納めることが出来、容器使用上便利であり、保持筒５２からのケース筒５１取外しも出来、容器体内液体が無くなった際における容器体交換ないし、空となった容器体へ再度液体を充填することも容易となる。
【図面の簡単な説明】
【図１】本発明容器を正面からみた分解半断面図である。
【図２】キャップ嵌合状態で示す図１容器の半断面図である。
【図３】一方ヘッド部材を上昇させた状態で示す半断面図である。
【図４】図３の平面図である。
【図５】一部部材を除去した状態で示す、図１容器の側面図である。
【図６】図５の平面図である。
【図７】図１容器のヘッド部材と操作部材との関係を展開図で示す説明図である。
【図８】図７の変形例を展開図で示す説明図である。
【符号の説明】
１…容器体　　　　　　　　　　　　　　１１…注出筒
１８…棒状栓　　　　　　　　　　　　２１…ヘッド部材
２６…傾斜面　　　　　　　２７…高水平面
２８…低水平面　　　　　　２９…係合板
４１…操作筒　　　　　　　　　　　　　　４３…脚板
４４…足　　　　　　　　　５１…ケース筒
５２…保持筒　　　　　　　５３…収納筒
【図１】
2004123132.tif 000003
【図２】
2004123132.tif 000004
【図３】
2004123132.tif 000005
【図４】
2004123132.tif 000006
【図５】
2004123132.tif 000007
【図６】
2004123132.tif 000008
【図７】
2004123132.tif 000009
【図８】
2004123132.tif 000010